【事件の表示】
　特願２００８−２１０４６３号「加熱調理器」拒絶査定不服審判事件〔平成２２年３月４日出願公開、特開２０１０−４６１１５号〕について、次のとおり審決する。
【結　論】
　本件審判の請求は、成り立たない。
【理　由】
１．手続の経緯・本願発明
　本願は、平成２０年８月１９日の出願であって、その請求項１に係る発明は、平成２３年５月２６日に手続補正された特許請求の範囲の請求項１に記載された次のとおりのものである。（以下「本願発明」という。）
「被加熱物を収納する加熱容器と、
　前記加熱容器を収容支持する下部筐体と、
　前記加熱容器内で発生する蒸気を前記加熱容器外へと導く水蒸気案内路と、
　前記水蒸気案内路により導かれた蒸気を回収し、該蒸気を炊飯調理前に中に入れられた冷却水により冷却し復水して貯える水槽と、
　前記下部筐体に設けられ、前記水槽が着脱可能に取り付けられる水槽収納部と、
　前記下部筐体の上面開口部と前記水槽の上部とを開閉自在に覆う上部蓋と、
　加熱調理に関する入力を行う操作部とを備え、
　前記操作部を前記上部蓋の上面に設置するとともに、天面から見て前記操作部の少なくとも一部が前記水槽と重なる位置に配置することにより、前記操作部を前記水槽の直上に配置したことを特徴とする加熱調理器。」
　
２．引用刊行物
（１）引用刊行物１
　これに対して、当審で通知した拒絶の理由に引用され、本願出願前に頒布された実願昭５８−２０４１３９号（実開昭６０−１０６５３２号）のマイクロフイルム（以下「引用刊行物１」という。）には、第１及び２図とともに以下の事項が記載されている。
ア．「１は中空直方体状の容器で，その内部に，央部に連通孔２１を備えたパツキン２を開口に取着してある断面Ｌ字形の蒸気の通路１１を設けるとともにこの通路１１の横引部分の上部に逆止弁１２を備えた蒸気の上部通過孔１３と，下部通過孔１４とを設けてある断面矩形の蒸気の通過室１５を連設してあり，且つ通過室１５の上部に，その開口にキヤツプ３を取着するとともに断面矩形の冷却水１７を満してある水タンク１６を連設してある。４は炊飯器の本体で，その内部に内釜５を収納する内容器６を設けるとともに内釜５の開口を覆う内蓋７を取着してある開閉自在な外蓋８をその上部に設けてあり，且つ着脱自在な容器１を内蔵したものである。９は蒸気の導入管で，Ｕ字形に形成してあり，一方の端部開口を内蓋７を貫通して内釜５の開口に臨む位置に設けるとともに，その近傍に蒸気孔９１を備えた他方の端部開口を前記パツキン２の連通孔２１にやや下がり傾斜を持たせて設けたものである。」（明細書第２頁第７行〜第３頁第５行）
イ．「炊飯中に内釜５で発生した蒸気は内蓋７にその一方の端部開口を設けてある蒸気導入管９を通つて容器１に取着してあるパツキン２の連通孔２１に至り，前記蒸気孔９１を密封する状態にするリーク弁１０の効果と相俟つて蒸気導入管９の他方の端部開口から通路１１内に入る。通路１１内を通つた蒸気は下部通過孔１３を介して蒸気圧によつて逆止弁１２を押し上げて通過室１５内に入り，更に上部通過孔１４を介して水タンク１６内に入つて冷却水１７によつて冷却されて混合する。・・・（中略）・・・炊飯終了後・・・（中略）・・・内蓋７と外蓋８が開けられることによつて蒸気導通管９と容器１とはパツキン２部分から分離され，容器１を本体４から取り外し洗浄出来る。」（明細書第３頁第１０行〜第４頁第６行）
ウ．「本考案によると炊飯中に発生する蒸気の過剰分を炊飯器の内部で冷却して水に変えることが出来るので，外気に蒸気を放出しなくなり，炊飯器使用場所近傍の壁面等の結露も防止出来るので使用者に不快感を与えない装置を提供出来る。」（明細書第４頁第７〜１１行）
エ．第２図は炊飯器に容器を内蔵した状態の要部断面図であって、外蓋８は、着脱自在な容器１や内釜５を収納する内容器６の上面を含めて、炊飯器の本体４の上面を覆う態様が図示される。
　
　上記ア．〜ウ．の記載事項及びエ．の図示内容を総合すると、引用刊行物１には、以下の発明（以下「引用発明」という。）が記載されていると認められる。
「炊飯中に蒸気を発生する内釜５と、
　その内部に内釜５を収納する内容器６を設ける炊飯器の本体４と、
　一方の端部開口を内蓋７を貫通して内釜５の開口に臨む位置に設けるとともに、他方の端部開口を容器１のパツキン２の連通孔２１に設け、炊飯中に内釜５で発生した蒸気をその一方の端部開口を設けてある蒸気導入管９を通つて容器１に取着してあるパツキン２の連通孔２１に至らせる蒸気の導入管９と、
　パツキン２の連通孔２１に至った蒸気が、通路１１内を通って水タンク１６内に入り、満してある冷却水１７に混合され、冷却されて水に変わり、蒸気を放出しないようにする、本体４に内蔵された着脱自在な容器１と、
　着脱自在な容器１や内釜５を収納する容器６の上面を含めて、炊飯器の本体４の上面を覆う開閉自在な外蓋８とを備えた炊飯器。」
　
（２）引用刊行物２
　同じく引用され、本願出願前に頒布された特開２００４−２２３１３５号公報（以下「引用刊行物２」という。）には、図１〜５とともに以下の事項が記載されている。
ア．「本発明の第一の実施例について、図１を用いて説明する。図１に示す３１は炊飯器の本体を示し、着脱自在の鍋３２を内装する。さらに鍋３２の上面を覆う蓋３３が開閉自在に設置されている。また鍋３２を加熱する鍋加熱手段３４と鍋３２の底面に当接しその温度を検知する鍋温度検知手段３５を本体３１内部に配置する。
　また、本体３１は水タンク３６を内装しており、水タンク３６には水タンク加熱手段３７を有し、水タンク３６と水タンク加熱手段３７により蒸気発生手段３８を構成する。蓋３３には、鍋加熱手段３４や蒸気発生手段３８の駆動制御を行う加熱制御手段である操作制御基板３９が設置され、該操作制御基板３９には、蒸気発生手段３８が鍋３２内に蒸気を供給中であることを報知する報知手段である発光ダイオード４０が配置されている。
　・・・（中略）・・・
　また、内蓋４１には、蒸気発生手段３８にて発生させられた蒸気を内蓋に送る蒸気管４３が設けられ、前記蒸気管４３内には蒸気の有無を検出する蒸気センサー４４が備えられている。前記蒸気管４３と鍋３２の上面の一部が接続され、鍋３２の開口部を蒸気孔４５として形成している。
　上記の構成において動作を説明する。炊飯を行う米とその米量に対応する水を鍋３２に入れ、本体３１の所定の状態に内装する。さらに本体３１に設けられた水タンク３６内に所定量の水を入れ、炊飯開始スイッチ（図示せず。）を使用者が操作すると、炊飯工程が実施される。炊飯工程は浸水、炊き上げ、蒸らしの各工程に大分されている。」（段落【００２４】〜【００２８】）
イ．「本発明の第２の実施例について図３を参照しながら説明する。蓋５１内には、発光ダイオード５２ａを有する発光基板５２と、該発光基板５２上に設置されたアクリル、ポリカーボネイト等の透明プラスチックスで形成された導光板５３とを有している。
　また、蓋５１内には炊飯動作を制御し、液晶等により時刻や動作状況を表示する表示部５４ａを有した操作制御基板５４も備えている。」（段落【００３４】及び【００３５】）
ウ．「さらに、図４にあるように発光ダイオード６２ａの動作と同時に、操作制御基板６４の表示部６４ａに蒸気供給中である旨の文字やマークでの表示を行えば、より詳しい状況を使用者に知らしめることができる。」（段落【００３９】）
エ．図１及び３には、着脱自在の鍋３２及び水タンク３６が本体３１の上面に内装され、開閉自在の蓋３３は鍋３２及びを水タンク３６の上面を含め本体３１の上面全体を覆うもので、鍋３２の側の端部にヒンジを有し、反対側のタンク３６の上に操作制御基板３９の一部を設ける態様が図示されている。
オ．本発明の第二の他の実施例における炊飯器の表示部外観図である図４には、手前に操作制御基板６４や表示部６４ａを、手前から見て文字等が読めるように、設ける態様が図示される。
　
（３）引用刊行物３
　同じく引用され、本願出願前に頒布された特開２００７−２８２９３９号公報（以下「引用刊行物３」という。）には、図１〜３とともに以下の事項が記載されている。
ア．「図２は、同炊飯器の断面図を示し、図３は、同炊飯器の操作表示部の拡大正面図を示すものである。
　図２に示すように、炊飯器本体１は、内部に米と水を入れる鍋２を着脱自在に収納し、この鍋２はステンレス、鉄などの磁性体によって形成している。鍋２の上部開口部を外蓋５で開閉自在に覆っている。加熱コイル（加熱手段）３は、鍋２の底面外側に配設し、高周波電源から供給される高周波電流により交番磁界を発生し、この交番磁界で鍋２を誘導加熱している。・・・（中略）・・・
　メニュー選択手段４は、使用者の判断で少なくとも２つ以上ある炊飯メニューの中から所望の炊飯メニューを選択するもので、メニュー選択入力スイッチで構成し、制御基板７に搭載した制御手段１１に接続している。・・・（中略）・・・
　表示手段２６は、使用者がメニュー選択手段４により選択したメニューの選択状態を表示するもので、図３に示すように、ＬＣＤ２７を有し、このＬＣＤ２７に少なくとも２つ以上ある炊飯メニューの中から選択した炊飯メニューを表示するようにしている。
　操作部２２には、上述したメニュー選択手段４の他に、硬さ選択手段２３、蒸気選択手段２４および蒸気量選択手段２５を配置している。」（段落【００２３】〜【００２８】）
イ．図２には、外蓋５が、炊飯器本体１の上面全体を覆い、鍋２の側の端部にヒンジを有し、上面にメニュー選択手段４が配置される様子が図示されるとともに、炊飯器本体１の上面には鍋２と共に外蓋５内の管で連通される容器がヒンジの反対側に設けられ、外蓋５の上面のメニュー選択手段４の一部が上記容器の上に配置される態様が図示されている。
　さらに図３には、メニュー選択手段４とともに表示手段２６や硬さ選択手段２３、蒸気選択手段２４および蒸気量選択手段２５が一体となっている様子が図示される。
　
３．対比・判断
　本願発明と引用発明とを対比すると、後者の「炊飯中に蒸気を発生する内釜５」は、その機能・構造からみて、前者の「被加熱物を収納する加熱容器」に相当し、以下同様に、後者の「その内部に内釜５を収納する内容器６を設ける炊飯器の本体４」は前者の「加熱容器を収容支持する下部筐体」に、後者の「一方の端部開口を内蓋７を貫通して内釜５の開口に臨む位置に設けるとともに、他方の端部開口を容器１のパツキン２の連通孔２１に設け、炊飯中に内釜５で発生した蒸気をその一方の端部開口を設けてある蒸気導入管９を通つて容器１に取着してあるパツキン２の連通孔２１に至らせる蒸気の導入管９」は前者の「加熱容器内で発生する蒸気を前記加熱容器外へと導く水蒸気案内路」に、後者の「パツキン２の連通孔２１に至った蒸気が、通路１１内を通って水タンク１６内に入り、満してある冷却水１７に混合され、冷却されて水に変わり、蒸気を放出しないようにする、」「容器１」は前者の「水蒸気案内路により導かれた蒸気を回収し、該蒸気を」「冷却水により冷却し復水して貯える水槽」に、後者の「着脱自在な容器１や内釜５を収納する容器６の上面を含めて、炊飯器の本体４の上面を覆う開閉自在な外蓋８」は前者の「下部筐体の上面開口部と水槽の上部とを開閉自在に覆う上部蓋」に、後者の「炊飯器」は前者の「加熱調理器」にそれぞれ相当する。
　また、後者の容器１は水タンク１６を有し、蒸気はそこに「満してある冷却水１７に混合され」るのであるから、炊飯前に冷却水１７を満たしておくものといえ、前者のと同様に冷却水は「炊飯調理前に中に入れられた」ものである。
　さらに後者の容器１は「本体４に内蔵された着脱自在な」ものであるから、本体４にはそのための部分が設けられていることが明らかであって、後者も前者の「下部筐体に設けられ、水槽が着脱可能に取り付けられる水槽収納部」に相当する部分を有しているといえる。
　そうすると、両者は、
「被加熱物を収納する加熱容器と、
　前記加熱容器を収容支持する下部筐体と、
　前記加熱容器内で発生する蒸気を前記加熱容器外へと導く水蒸気案内路と、
　前記水蒸気案内路により導かれた蒸気を回収し、該蒸気を炊飯調理前に中に入れられた冷却水により冷却し復水して貯える水槽と、
　前記下部筐体に設けられ、前記水槽が着脱可能に取り付けられる水槽収納部と、
　前記下部筐体の上面開口部と前記水槽の上部とを開閉自在に覆う上部蓋とを備えた加熱調理器。」である点で一致し、以下の点で相違しているものと認められる。
相違点：本願発明が「加熱調理に関する入力を行う操作部とを備え、
　前記操作部を前記上部蓋の上面に設置するとともに、天面から見て前記操作部の少なくとも一部が前記水槽と重なる位置に配置することにより、前記操作部を前記水槽の直上に配置し」ているのに対し、引用発明は上記のような操作部を有するものではない点。
　
　そこで、上記相違点について検討する。
　引用刊行物２には、着脱自在の鍋３２及び水タンク３６を内装する炊飯器の本体３１の上面全体を開閉自在の蓋３３覆うと共に、鍋３２のヒンジと反対側である前側に水タンク３６を配し、表示部５４ａ、６４ａや操作部６４をその一部が水タンク３６の上になるように、本体３１の上面全体を覆う蓋３３の上面で前側に設けることが示されており、引用刊行物３にも、同様に、炊飯器本体１の上面の全体を覆う外蓋５のヒンジと反対側の上面に、炊飯器本体１の上面の鍋２のヒンジと反対側の容器の上に配置されるように、メニュー選択手段４や表示手段２６、硬さ選択手段２３、蒸気選択手段２４、蒸気量選択手段２５等が配置されることが示されている。
　また、炊飯器における表示・操作部を、炊飯器の上面前方とすることは操作性や表示の見やすさから従来より通常行われることである上、これらを内釜より前方に設けることも通常のことであって、引用刊行物２や３以外にも、例えば特開２００７−２９６４７号公報、特開２００７−１９５６５７号公報及び特開２００５−３１２５８５号公報等には、蓋の上面ではないものの内釜を後方に配し、内釜より前方の上面に表示・操作部を設ける炊飯器が示されていて周知の構成である。
　そして、引用発明も当然操作部を有している筈であり、操作・表示部が蓋に配されるか本体に配されるかに拘わらず、操作性や表示の見やすさ等から、表示・操作部を炊飯器の上面前方、内釜より前方にすることは上記したように周知であって、それに加えて、引用発明と同様の、着脱自在の鍋と付属容器といえる水タンクを上面に有する炊飯器の本体の全体を覆う蓋を有する構造である、引用刊行物２や３の配置に倣って、引用発明の操作部等を配置することは、当業者が格別の困難性を要することなくなし得たことといえる。
　引用刊行物２や３の水タンクはその機能が引用発明の容器１とは異なるものの、ともに炊飯前に水を入れるものであり、炊飯のための主の加熱を行う着脱自在の内釜とともに炊飯器の本体の上面に配置され、炊飯器の本体の上面全体が蓋で覆われるものであるから、これらの配置に倣って、引用発明に操作部を配置することが困難であるとはいえない。
　したがって、上記相違点に係る本願発明の構成とすることは当業者が容易になし得たことである。
　
　よって、本願発明は、引用発明、引用刊行物２及び３に記載の事項並びに周知の事項に基づいて、当業者が容易に発明をすることができたものである。
　
４．むすび
　以上のように、本願発明は、引用発明、引用刊行物２及び３に記載の事項並びに周知の事項に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。